(57)【要約】【課題】お湯をファンあるいはファン周辺の内壁に衝突させ、衝撃によりミスト化された蒸気を供給する水破砕式ミストサウナ装置において、ミスト化されなかったお湯を排水する必要の無い、排水工事が必要なく水道代が安くなる排水レス水破砕式ミストサウナ装置１を提供することを目的とする。【解決手段】供給されたお湯を一時的に溜める貯水手段Ａ４および貯水手段Ｂ８とお湯を循環させる循環手段９を備えたものであり、貯水手段Ａ４および貯水手段Ｂ８に溜められたお湯を循環手段９によって循環水路５を移動させることにより、ミスト化されなかったお湯を循環することで排水を無くすことができる。【選択図】図１
2007236669.tif 000002
【特許請求の範囲】
【請求項１】
お湯をファンあるいはファン周辺の内壁に衝突させ、衝撃によりミスト化された蒸気を供給する水破砕式ミストサウナ装置において、ミスト化されなかったお湯を排水しないようにしたことを特徴とした排水レス水破砕式ミストサウナ装置。
【請求項２】
供給されたお湯を一時的に溜める貯水手段とお湯を循環させる循環手段を備え、ミスト化されなかったお湯を循環することを特徴とした請求項１記載の排水レス水破砕式ミストサウナ装置。
【請求項３】
供給された水を加温する加温手段を備え、直接お湯の供給を必要としないことを特徴とした請求項２記載の排水レス水破砕式ミストサウナ装置。
【請求項４】
供給された水の量を検知し、循環に必要な水量以上の水を供給しない給水量検知手段を備えたことを特徴とした請求項２または３記載の排水レス水破砕式ミストサウナ装置。
【請求項５】
長時間放置されると貯水手段内の水より発生する菌を検出する菌検出手段を備えたことを特徴とした請求項２乃至４のいずれかに記載の排水レス水破砕式ミストサウナ装置。
【請求項６】
長時間放置されると貯水手段内の水より発生する菌を殺す殺菌手段を備えたことを特徴とした請求項２乃至５のいずれかに記載の排水レス水破砕式ミストサウナ装置。
【請求項７】
循環されたお湯の温度を検知する温度検知手段を備え、吹き出すミストの温度を調整できることを特徴とした請求項２乃至６のいずれかに記載の排水レス水破砕式ミストサウナ装置。
【請求項８】
循環されたお湯の流速を検出する流速検知手段を備え、流速に応じて吹き出すミストの噴出時間を調整できることを特徴とした請求項２乃至７のいずれかに排水レス水破砕式ミストサウナ装置。
【請求項９】
循環されたお湯の流速を調整できる流速調整手段を備え、吹き出すミストの量を調整できることを特徴とした請求項２乃至８のいずれかに記載の排水レス水破砕式ミストサウナ装置。
【請求項１０】
ミストサウナ終了後のミストサウナ装置内の乾燥ができる乾燥手段を備えたことを特徴とした請求項２乃至９のいずれかに記載の排水レス水破砕式ミストサウナ装置。
【請求項１１】
ミスト化されなかったお湯を蒸発させる蒸発手段を備えたことを特徴とした請求項１乃至９のいずれかに排水レス水破砕式ミストサウナ装置。
【発明の詳細な説明】
【技術分野】
【０００１】
本発明は、お湯をファンあるいはファン周辺の内壁に衝突させ、衝撃によりミスト化された蒸気を供給する水破砕式ミストサウナ装置において、ミスト化されなかったお湯を排水しない排水レス水破砕式ミストサウナ装置に関するものである。
【背景技術】
【０００２】
リラクゼーションルームを提供することを目的とし、浴室の天井裏あいるは壁等に設置して、お湯をファンあるいはファン周辺の内壁に衝突させ、衝撃によりミスト化された蒸気を供給する水破砕式ミストサウナ装置において、ミスト化されなかったお湯を処理することは重要な課題である。
【０００３】
従来より、水破砕式ミストサウナ装置において、ミスト化されなかったお湯は排水管を通し排水を行っていた。
【特許文献１】特開平６−６３１０３号公報
【発明の開示】
【発明が解決しようとする課題】
【０００４】
このような従来の水破砕式ミストサウナ装置では、ミスト化されなかったお湯を排水している為、排水設備が必要であるという課題がある。本発明は、このような従来の課題を解決するものであり、ミスト化されなかったお湯を排水しないことができる排水レス水破砕式ミストサウナ装置を提供することを目的としている。
【課題を解決するための手段】
【０００５】
本発明の請求項１記載の排水レス水破砕式ミストサウナ装置は、上記目標を達成するため、ミスト化されなかったお湯を排水しないようにしたことを特徴とする。そして、本発明によればミスト化されなかった水を排水しないことができる排水レス水破砕式ミストサウナ装置が得られる。
【０００６】
また請求項２記載の発明は、供給されたお湯を一時的に溜める貯水手段とお湯を循環させる循環手段を備えたことを特徴とする。そして、本発明によればミスト化されなかった水を排水せず循環できる排水レス水破砕式ミストサウナ装置が得られる。
【０００７】
また請求項３記載の発明は、供給された水を加温する加温手段を備えたことを特徴とする。そして、本発明によれば直接お湯を供給する必要がない排水レス水破砕式ミストサウナ装置が得られる。
【０００８】
また請求項４記載の発明は、供給された水の量を検知する給水量検知手段を備えたことを特徴とする。そして、本発明によれば給水量を調整し循環に必要な水量以上の水を供給しない排水レス水破砕式ミストサウナ装置が得られる。
【０００９】
また請求項５記載の発明は、長時間放置されると貯水手段内の水より発生する菌を検出する菌検出手段を備えたことを特徴とする。そして、本発明によれば菌検出し、菌を噴出さないように運転を制御できる排水レス水破砕式ミストサウナ装置が得られる。
【００１０】
また請求項６記載の発明は、長時間放置されると貯水手段内の水より発生する菌を殺す殺菌手段を備えたことを特徴する。そして、本発明によれば発生した菌を殺菌し安全で快適なミストを噴出できる排水レス水破砕式ミストサウナ装置が得られる。
【００１１】
また請求項７記載の発明は、循環されたお湯の温度を検知する温度検知手段を備えたことを特徴とする。そして、本発明によれば循環されたお湯の温度を検出し噴出するミストの温度が調整できる排水レス水破砕式ミストサウナ装置が得られる。
【００１２】
また請求項８記載の発明は、循環されたお湯の流速を検出する流速検知手段を備えたことを特徴とする。そして、本発明によれば循環されたお湯の流速を検出し流速に応じてミストを噴出する時間を調整できる排水レス水破砕式ミストサウナ装置が得られる。
【００１３】
また請求項９記載の発明は、循環されたお湯の流速を調整できる流速調整手段を備えたことを特徴とする。そして、本発明によれば流速を調整し噴出するミスト量を調整できる排水レス水破砕式ミストサウナ装置が得られる。
【００１４】
また請求項１０記載の発明は、ミストサウナ終了後のミストサウナ装置内の乾燥ができる乾燥手段を備えたことを特徴とする。そして、本発明によればミストサウナ装置内を乾燥させ長時間放置後の菌の繁殖を抑制することができる排水レス水破砕式ミストサウナ装置が得られる。
【００１５】
また請求項１１記載の発明は、ミスト化されなかったお湯を蒸発させる蒸発手段を備えたことを特徴とする。そして、本発明によればミスト化されなかった水を排水しないで蒸発させることができる排水レス水破砕式ミストサウナ装置が得られる。
【発明の効果】
【００１６】
本発明によれば、ミスト化されなかったお湯を排水しないようにしたことを特徴とした排水レス水破砕式ミストサウナ装置を備えることにより、排水設備が不要になるという効果のある水破砕式ミストサウナ装置を提供できる。
【００１７】
また、供給されたお湯を一時的に溜める貯水手段とお湯を循環させる循環手段を備え、ミスト化されなかったお湯を循環することを特徴とした排水レス水破砕式ミストサウナ装置を備えることにより、排水設備が不要になり且つ、水道代が安くなるという効果のある水破砕式ミストサウナ装置を提供できる。
【００１８】
また、供給された水を加温する加温手段を備え、直接お湯の供給を必要としないことを特徴とした排水レス水破砕式ミストサウナ装置を備えることにより、直接お湯を供給する必要がないという効果のある水破砕式ミストサウナ装置を提供できる。
【００１９】
また、供給された水の量を検知し、循環に必要な水量以上の水を供給しない給水量検知手段を備えたことを特徴とした排水レス水破砕式ミストサウナ装置を備えることにより、必要量の水を装置内で温めることで必要熱量が少なくなり且つ、水道代が安くなるという効果のある水破砕式ミストサウナ装置を提供できる。
【００２０】
また、長時間放置されると貯水手段内の水より発生する菌を検出する菌検出手段を備えたことを特徴とした排水レス水破砕式ミストサウナ装置を備えることにより、不衛生な菌を噴出しない且つ、水道代が安くなるという効果のある水破砕式ミストサウナ装置を提供できる。
【００２１】
また、長時間放置されると貯水手段内の水より発生する菌を殺す殺菌手段を備えたことを特徴とした排水レス水破砕式ミストサウナ装置を備えることにより、清潔で安全なミストを供給でき且つ、水道代が安くなるという効果のある水破砕式ミストサウナ装置を提供できる。
【００２２】
また、循環されたお湯の温度を検知する温度検知手段を備え、吹き出すミストの温度を調整できることを特徴とした排水レス水破砕式ミストサウナ装置を備えることにより、噴出するミストの温度が調整でき且つ、水道代が安くなるという効果のある水破砕式ミストサウナ装置を提供できる。
【００２３】
また、循環されたお湯の流速を検出する流速検知手段を備え、流速に応じて吹き出すミストの噴出時間を調整できることを特徴とした排水レス水破砕式ミストサウナ装置を備えることにより、水道代が安くなるという効果のある水破砕式ミストサウナ装置を提供できる。
【００２４】
また、循環されたお湯の流速を調整できる流速調整手段を備え、吹き出すミストの量を調整できることを特徴とした排水レス水破砕式ミストサウナ装置を備えることにより、流速を調整し噴出するミスト量を調整でき且つ、水道代が安くなるという効果のある水破砕式ミストサウナ装置を提供できる。
【００２５】
また、ミストサウナ終了後のミストサウナ装置内の乾燥ができる乾燥手段を備えたことを特徴とした排水レス水破砕式ミストサウナ装置を備えることにより、ミストサウナ装置内を乾燥させ長時間放置後の菌の繁殖を抑制することができ且つ、水道代が安くなるという効果のある水破砕式ミストサウナ装置を提供できる。
【００２６】
また、ミスト化されなかったお湯を蒸発させる蒸発手段を備えたことを特徴とした排水レス水破砕式ミストサウナ装置を備えることにより、排水設備が不要になるという効果のある水破砕式ミストサウナ装置を提供できる。
【発明を実施するための最良の形態】
【００２７】
本発明の請求項１記載の発明は、お湯をファンあるいはファン周辺の内壁に衝突させ、衝撃によりミスト化された蒸気を供給する水破砕式ミストサウナ装置において、ミスト化されなかったお湯を排水しないようにしたことを特徴とした排水レスミストサウナ装置であり、排水をなくすという作用を有する。
【００２８】
また、供給されたお湯を一時的に溜める貯水手段とお湯を循環させる循環手段を備えたものであり、ミスト化されなかったお湯を循環するという作用を有する。
【００２９】
また、供給された水を加温する加温手段を備えたものであり、直接お湯の供給を必要せずお湯をつくるという作用を有する。
【００３０】
また、供給された水の量を検知する給水量検知手段を備えたものであり、循環に必要な水量以上の水を供給しせず給水量を調整するという作用を有する。
【００３１】
また、長時間放置されると貯水手段内の水より発生する菌を検出する菌検出手段を備えたものであり、菌の検出ができるという作用を有する。
【００３２】
また、長時間放置されると貯水手段内の水より発生する菌を殺す殺菌手段を備えたものであり、殺菌するという作用を有する。
【００３３】
また、循環されたお湯の温度を検知する温度検知手段を備えたものであり、吹き出すミストの温度を調整できるという作用を有する。
【００３４】
また、循環されたお湯の流速を検出する流速検知手段を備えたものであり、流速に応じて吹き出すミストの時間を調整できるという作用を有する。
【００３５】
また、循環されたお湯の流速を調整できる流速調整手段を備えたものであり、吹き出すミストの量を調整できるという作用を有する。
【００３６】
また、ミストサウナ終了後のミストサウナ装置内の乾燥ができる乾燥手段を備えたものであり、ミストサウナ装置内を乾燥できるという作用を有する。
【００３７】
また、ミスト化されなかったお湯を蒸発させる蒸発手段を備えたものであり、排水をなくすという作用を有する。
【００３８】
以下、本発明の実施の形態について図面を参照しながら説明する。
【００３９】
（実施の形態１）
以下、本発明の実施の形態１について図１を参照しながら説明する。
【００４０】
図１は本発明に関わる排水レス水破砕ミストサウナ装置である。図１に示すように、排水レス水破砕ミストサウナ装置１の内部構成は、給水口２より給湯器などで暖められたお湯を給水し給水弁３を開けることにより、貯水手段Ａ４へお湯が溜められる。溜められたお湯は循環水路５を通って水破砕ミストユニット６へ送られ、水破砕ミストユニット６内部でミスト化されたお湯は噴出口７より、噴出される。ミスト化されなかったお湯は貯水手段Ｂ８に溜められ、循環手段９により、循環水路５を通って再度、貯水手段Ａ４へ運ばれる構成である。
【００４１】
上記構成により、貯水手段Ａ４として、例えばタンク、および貯水手段Ｂ８として、例えばタンクに溜められたお湯を循環手段９として、例えばポンプによって循環水路５を移動させることにより、ミスト化されなかったお湯を排水せずに循環することができる排水レス水破砕ミストサウナ装置１を提供できる。
【００４２】
（実施の形態２）
以下、本発明の実施の形態２について図２を参照しながら説明する。  実施の形態１と同一部分は同一番号を附し、詳細な説明を省略する。
【００４３】
図２に示すように、貯水手段Ａ４と水破砕ミストユニット６の間の循環水路５に加温手段１０としての、例えば温水熱交換器またはヒートポンプ熱交換器またはヒーターなどが設けられた構成とする。今回は貯水手段Ａ４と水破砕ミストユニット６の間の循環水路５に加温手段１０を設けたが、給水口２より給水された水が加温できれば問題なため貯水手段Ａ４の内部やその他の循環水路５に加温手段１０が設けられても同様の効果が期待できる。
【００４４】
上記構成により、給湯器などで水を温める必要がなく直接給水口２に水を給水しても、排水レス水破砕ミストサウナ装置１内でお湯をつくることができる排水レス水破砕ミストサウナ装置１を供給できる。
【００４５】
（実施の形態３）
以下、本発明の実施の形態３について図３を参照しながら説明する。実施の形態１および２と同一部分は同一番号を附し、詳細な説明を省略する。
【００４６】
図３に示すように、貯水手段Ａ４内に給水量検知手段１１としての、例えば電極を使用した水位センサーまたはホール素子を使用したフロートスイッチなどが設けられた構成とする。
【００４７】
上記構成により、循環に必要な水量以上の水が給水口２から給水されないように給水量検知手段１１が必要量の水を検知したら給水弁３を閉じ給水を止め、水が足りなくなったと給水量検知手段１１が検知したら給水弁３を開け給水することができる排水レス水破砕式ミストサウナ装置を提供できる。
【００４８】
（実施の形態４）
以下、本発明の実施の形態４について図４を参照しながら説明する。実施の形態１から３と同一部分は同一番号を附し、詳細な説明を省略する。
【００４９】
図４に示すように、貯水手段Ａ４および貯水手段Ｂ８内に菌検知手段１２が設けられた構成とする。
【００５０】
上記構成により、長時間の放置されることにより貯水手段Ａ４および貯水手段Ｂ８内に菌が発生した場合、そのまま運転すると菌がミストと共に噴出口７より外部に噴出されてしまうのを防ぐため、菌検出手段１２が菌を検知した場合運転を停止することができる排水レス水破砕式ミストサウナ装置を提供できる。、菌検出手段１２としては、菌が検知できればよく、例えばＡＴＰ発色による菌検知、あるいはＤＮＡ染色による菌検知、または画像判断・認識による菌検知などがある。
【００５１】
（実施の形態５）
以下、本発明の実施の形態５について図５を参照しながら説明する。実施の形態１から４と同一部分は同一番号を附し、詳細な説明を省略する。
【００５２】
図５に示すように、貯水手段Ａ４付近に殺菌手段１３としての、例えば紫外線ランプなどが設けられた構成とする。
【００５３】
上記構成により、菌検出手段１２が菌を検知した場合殺菌手段１３を動作させ菌を殺菌することにより、長時間放置され菌が発生した場合でも安全で快適な排水レス水破砕式ミストサウナ装置を提供できる。
【００５４】
（実施の形態６）
以下、本発明の実施の形態６について図６を参照しながら説明する。実施の形態１から５と同一部分は同一番号を附し、詳細な説明を省略する。
【００５５】
図６に示すように、加温手段１０と水破砕ミストユニット６の間に、温度検知手段１４として、例えばサーミスタなどが設けられた構成とする。
【００５６】
上記構成により、循環水路５を循環するお湯の温度を検知し、高温例えば５０℃になるまで水破砕ミストユニット６を動作させず、冷たいミストを供給しないようにしユーザーに冷風感を与えなくしたり、熱いミストが好みのユーザーにはより高温例えば６０℃になるまで加温手段１０を動かし熱いミストを供給したり、加温のしすぎによる光熱費の無駄を防いだりできる排水レス水破砕式ミストサウナ装置を提供できる。
【００５７】
（実施の形態７）
以下、本発明の実施の形態７について図７を参照しながら説明する。実施の形態１から６と同一部分は同一番号を附し、詳細な説明を省略する。
【００５８】
図７に示すように、貯水手段Ａ４と加温手段１０の間に、流速検知手段１５として、例えば流量センサーを備えた構成とする。
【００５９】
上記構成により、循環水路５を流れるお湯の流速を流速検知手段１５で検知することで、流速が早い場合加湿量が多いと認識し加湿時間すなわちミストの噴出時間を短くし、流速が遅い場合加湿量が少ないと認識し加湿時間を長くすることができる排水レス水破砕式ミストサウナ装置を提供できる。
【００６０】
（実施の形態８）
以下、本発明の実施の形態８について図８を参照しながら説明する。実施の形態１から７と同一部分は同一番号を附し、詳細な説明を省略する。
【００６１】
図８に示すように、加温手段１０と水破砕ミストユニット６の間に流速調整手段１６例えば電導膨張弁が設けられた構成とする。
【００６２】
上記構成により、流速検知手段１５にて流速が遅いと認識した場合、流速調整手段１６にて流速を早くし加湿量を多くし、流速が遅い場合流速を早くし加湿量を増やすことができ且つ、運転の立ち上がり時など早めに加湿したい場合は流速を早くしたり、湿度安定時は流速を遅くして加湿量を抑制したりできる排水レス水破砕式ミストサウナ装置を提供できる。
【００６３】
（実施の形態９）
以下、本発明の実施の形態９について図９を参照しながら説明する。実施の形態１から８と同一部分は同一番号を附し、詳細な説明を省略する。
【００６４】
図９示すように、排水レス水破砕式ミストサウナ装置１内に、乾燥手段１７として、例えばファンとモーターとヒーターが設けられた構成とする。
【００６５】
上記構成において、ミストサウナ運転終了後、排水レス水破砕式ミストサウナ装置１内に残っている水を乾燥手段１７を動作させ乾燥させることにより、残った水に菌が繁殖することを抑制することができる排水レス水破砕式ミストサウナ装置を提供できる。
【００６６】
（実施の形態１０）
以下、本発明の実施の形態１０について図１０を参照しながら説明する。実施の形態１から９と同一部分は同一番号を附し、詳細な説明を省略する。
【００６７】
図１０示すように、排水レス水破砕ミストサウナ装置１の内部構成は、給水口２より給湯器などで暖められたお湯を給水し給水弁３を開けることにより、水路１８を通って水破砕ミストユニット６へ送られ、水破砕ミストユニット６内部でミスト化されたお湯は噴出口７より、噴出される。ミスト化されなかったお湯は蒸発手段１９へ流れる構成である。
【００６８】
上記構成により、ミスト化されなかったお湯は蒸発手段１９として、例えばヒーターとファンとモーターにより蒸発させ噴出口７より、上記を噴出することで排水をなくすことができる排水レス水破砕式ミストサウナ装置を提供できる。
【産業上の利用可能性】
【００６９】
本発明は、リラクゼーション目的で提供しているが、高温多湿条件を好む植物等の栽培にも利用できる。
【図面の簡単な説明】
【００７０】
【図１】本発明の実施の形態１の排水レス水破砕式ミストサウナ装置の構成を示す図
【図２】同実施の形態２の排水レス水破砕式ミストサウナ装置の構成を示す図
【図３】同実施の形態３の排水レス水破砕式ミストサウナ装置の構成を示す図
【図４】同実施の形態４の排水レス水破砕式ミストサウナ装置の構成を示す図
【図５】同実施の形態５の排水レス水破砕式ミストサウナ装置の構成を示す図
【図６】同実施の形態６の排水レス水破砕式ミストサウナ装置の構成を示す図
【図７】同実施の形態７の排水レス水破砕式ミストサウナ装置の構成を示す図
【図８】同実施の形態８の排水レス水破砕式ミストサウナ装置の構成を示す図
【図９】同実施の形態９の排水レス水破砕式ミストサウナ装置の構成を示す図
【図１０】同実施の形態１０の排水レス水破砕式ミストサウナ装置の構成を示す図
【符号の説明】
【００７１】
１    排水レス水破砕ミストサウナ装置
２    給水口
３    給水弁
４    貯水手段Ａ
５    循環水路
６    水破砕ミストユニット
７    噴出口
８    貯水手段Ｂ
９    循環手段
１０  加温手段
１１  給水量検知手段
１２  菌検出手段
１３  殺菌手段
１４  温度検知手段
１５  流速検知手段
１６  流速調整手段
１７  乾燥手段
１８  水路
１９  蒸発手段
【図１】
2007236669.tif 000003
【図２】
2007236669.tif 000004
【図３】
2007236669.tif 000005
【図４】
2007236669.tif 000006
【図５】
2007236669.tif 000007
【図６】
2007236669.tif 000008
【図７】
2007236669.tif 000009
【図８】
2007236669.tif 000010
【図９】
2007236669.tif 000011
【図１０】
2007236669.tif 000012